(57)【要約】      （修正有）【課題】質量が重い薄型の表示装置または支持装置を安定して保持するとともに、部品点数の増加を抑制可能な梱包装置を提供する。【解決手段】梱包装置１０が備える梱包箱２０は、前面を構成する前面部２２と、背面を構成する背面部２３と、左右側面を構成する側面部２４ｂ，２４ａと、前面部２２、背面部２３および側面部２４ｂ，２４ａの上端部を覆う天面部２１と、前面部２２、背面部２３および側面部２４ｂ，２４ａの下端部を覆う底面部２５とを備えている。梱包箱２０は、底面部２５に一体に形成される脚部３０ａ，３０ｂ，３０ｃをさらに備え、脚部３０ａ，３０ｂ，３０ｃは、梱包箱２０の両主面から突出しない第１の形態と、梱包箱２０の両主面から奥行き方向に突出する第２の形態とに選択的に切り替え可能であり、脚部３０ａ，３０ｂ，３０ｃは、第２の形態時に底面視にて長方形形状である。【選択図】図３
2019131238.tif 000002
【特許請求の範囲】
【請求項１】
縦方向および横方向の寸法に比べて前後の奥行き方向の寸法が小さい直方体形状を有する梱包箱を備え、
前記梱包箱は、前面を構成する前面部と、背面を構成する背面部と、左右側面を構成する左右側面部と、前記前面部、前記背面部および前記左右側面部の上端部を覆う天面部と、前記前面部、前記背面部および前記左右側面部の下端部を覆う底面部とを備え、
前記梱包箱は、前記底面部に一体に形成される複数の脚部をさらに備え、
複数の前記脚部は、前記梱包箱の前記前面部および前記背面部を含む両主面から突出しない第１の形態と、前記梱包箱の前記両主面から奥行き方向に突出する第２の形態とに選択的に切り替え可能であり、
複数の前記脚部は、前記第２の形態時に底面視にて長方形形状である、梱包装置。
【請求項２】
複数の前記脚部は４つの前記脚部を備え、
前記底面部は、主面と、前後側面と、左右側面と、前記左右側面の前後に一体に形成された４つの脚部形成面とを備え、
前記前後側面は第１スリットを有し、
４つの前記脚部形成面は、前記第１スリットに嵌め込み可能な第２スリットを有し、
前記第１の形態時に、４つの前記脚部形成面が前記前後側面または前記左右側面部に固定され、
前記第２の形態時に、前記前後側面に対して４つの前記脚部形成面が奥行き方向に突出するように折り曲げられた状態で、前記第２スリットが前記第１スリットに嵌め込まれる、請求項１記載の梱包装置。
【請求項３】
４つの前記脚部は、前記第２の形態時に側面視にて直角三角形形状である、請求項２記載の梱包装置。
【請求項４】
４つの前記脚部は、前記第２の形態時に側面視にて長方形形状である、請求項２記載の梱包装置。
【請求項５】
縦方向および横方向の寸法に比べて前後の奥行き方向の寸法が小さい直方体形状を有する梱包箱を備え、
前記梱包箱は、前面を構成する前面部と、背面を構成する背面部と、左右側面を構成する左右側面部と、前記前面部、前記背面部および前記左右側面部の上端部を覆う天面部と、前記前面部、前記背面部および前記左右側面部の下端部から縦方向中央部に渡る部分を覆う底面部とを備え、
前記梱包箱は、前記底面部に一体に形成される複数の脚部をさらに備え、
複数の前記脚部は、前記梱包箱の前記前面部および前記背面部を含む両主面から突出しない第１の形態と、前記梱包箱の前記両主面から奥行き方向に突出する第２の形態とに選択的に切り替え可能であり、
複数の前記脚部は、前記第２の形態時に底面視にて三角形形状である、梱包装置。
【請求項６】
複数の前記脚部は４つの前記脚部を備え、
前記底面部は、主面と、前後側面と、左右側面と、前記左右側面の前後に一体に形成された４つの脚部形成面とを備え、
前記第１の形態時に、左右の前記脚部形成面の一部が重なった状態で４つの前記脚部形成面が前記前後側面に固定され、
前記第２の形態時に、前記前後側面に対して４つの前記脚部形成面が奥行き方向に突出するように折り曲げられ、左右の前記脚部形成面が重ならない状態で４つの前記脚部形成面が前記前後側面に固定される、請求項５記載の梱包装置。
【発明の詳細な説明】
【技術分野】
【０００１】
本発明は、大画面表示装置を構成する薄型の表示装置、またはその支持装置を梱包する梱包装置に関するものである。
【背景技術】
【０００２】
ＬＥＤ表示素子を高密度に実装した表示装置は、上下左右のマトリックス状に複数配置された高精細の大画面表示装置を構築する。このような表示装置および複数の表示装置を支持する支持構造体である支持装置は薄型の形状となり、縦方向および横方向の主面（表示画面）の寸法に比べて奥行き方向の寸法が小さい直方体形状を有する。
【０００３】
このような薄型の表示装置または支持装置を梱包する梱包装置は、奥行き方向の寸法が小さい。そのため、梱包装置は保管時および輸送時に不安定となり転倒しやすい。しかし、転倒を防止するために梱包装置の奥行き方向の寸法を大きくした場合、保管時および輸送時における梱包装置の底面積が大きくなり、保管時および輸送時の積載効率が低下する。
【０００４】
そこで、薄型の表示装置のような、縦方向および横方向の寸法に比べて奥行き方向の寸法が小さい直方体形状を有する装置を梱包するために、転倒防止を図った梱包装置が提案されている（例えば、特許文献１〜３参照）。
【先行技術文献】
【特許文献】
【０００５】
【特許文献１】特開２００２−２１１６６９号公報
【特許文献２】特開２００３−９５３６８号公報
【特許文献３】特開２０１０−２１５２７６号公報
【発明の概要】
【発明が解決しようとする課題】
【０００６】
しかしながら、特許文献１，２に記載の梱包装置は、転倒防止用の部材を梱包箱とは別の部材として設ける構成になっている。そのため、部品点数が増加し、輸送時の質量が増え、さらに設置後の廃棄物が増えるという問題があった。
【０００７】
また、特許文献３に記載の梱包装置は、転倒防止用の部材が梱包箱と一体となっている。しかし、転倒防止用の部材は底板部の短手方向に長い帯状に形成されている。そのため、テレビジョンおよびコンピュータ向けの液晶表示装置などの比較的軽い薄型の表示装置を梱包するには適しているが、表示装置の質量が重い場合には転倒を防止するには不十分であった。
【０００８】
そこで、本発明は、質量が重い薄型の表示装置または支持装置を安定して保持するとともに、部品点数の増加を抑制可能な梱包装置を提供することを目的とする。
【課題を解決するための手段】
【０００９】
本発明に係る梱包装置は、縦方向および横方向の寸法に比べて前後の奥行き方向の寸法が小さい直方体形状を有する梱包箱を備え、前記梱包箱は、前面を構成する前面部と、背面を構成する背面部と、左右側面を構成する左右側面部と、前記前面部、前記背面部および前記左右側面部の上端部を覆う天面部と、前記前面部、前記背面部および前記左右側面部の下端部を覆う底面部とを備え、前記梱包箱は、前記底面部に一体に形成される複数の脚部をさらに備え、複数の前記脚部は、前記梱包箱の前記前面部および前記背面部を含む両主面から突出しない第１の形態と、前記梱包箱の前記両主面から奥行き方向に突出する第２の形態とに選択的に切り替え可能であり、複数の前記脚部は、前記第２の形態時に底面視にて長方形形状である。
【発明の効果】
【００１０】
本発明によれば、梱包装置が備える梱包箱は、底面部に一体に形成される複数の脚部をさらに備え、複数の脚部は、梱包箱の前面部および背面部を含む両主面から突出しない第１の形態と、梱包箱の両主面から奥行き方向に突出する第２の形態とに選択的に切り替え可能であり、複数の脚部は、第２の形態時に底面視にて長方形形状である。
【００１１】
したがって、縦方向および横方向の寸法に比べて奥行き方向の寸法が小さい直方体形状を有する梱包箱に対して、奥行き方向への転倒を防止することができる。これにより、質量が重い薄型の表示装置または支持装置を安定して保持することができる。
【００１２】
また、複数の脚部は底面部に一体に形成されるため、部品点数の増加を抑制することができる。
【図面の簡単な説明】
【００１３】
【図１】実施の形態１に係る梱包装置の第１の形態の斜視図である。
【図２】実施の形態１に係る梱包装置の第２の形態の斜視図である。
【図３】実施の形態１に係る梱包装置の第２の形態の分解斜視図である。
【図４】実施の形態１に係る梱包装置の底面部の展開図である。
【図５】実施の形態２に係る梱包装置の第１の形態の斜視図である。
【図６】実施の形態２に係る梱包装置の第２の形態の斜視図である。
【図７】実施の形態２に係る梱包装置の第１の形態の分解斜視図である。
【図８】実施の形態２に係る梱包装置の底面部の展開図である。
【図９】実施の形態３に係る梱包装置の第１の形態の斜視図である。
【図１０】実施の形態３に係る梱包装置の第２の形態の斜視図である。
【図１１】実施の形態３に係る梱包装置の第１の形態の分解斜視図である。
【図１２】実施の形態３に係る梱包装置の底面部の展開図である。
【図１３】実施の形態３に係る梱包装置の開梱方法の例を説明するための斜視図である。
【発明を実施するための形態】
【００１４】
＜実施の形態１＞
本発明の実施の形態１について、図面を用いて以下に説明する。図１は、実施の形態１に係る梱包装置１０の第１の形態の斜視図である。図２は、梱包装置１０の第２の形態の斜視図である。図３は、梱包装置１０の第２の形態の分解斜視図である。
【００１５】
図１から図３に示すように、梱包装置１０は、梱包箱２０およびバンド６０を備えている。梱包箱２０は、縦方向および横方向の寸法に比べて前後の奥行き方向の寸法が小さい直方体形状を有する。梱包箱２０には、縦方向および横方向の寸法に比べて奥行き方向の寸法が小さい直方体形状を有する薄型の表示装置１（または、表示装置１の支持装置）が収納され、バンド６０にて締結されている。
【００１６】
梱包箱２０は、前面部２２、背面部２３、左右側面部２４ｂ，２４ａ、天面部２１、および底面部２５を備えている。天面部２１は、前面部２２、背面部２３、および左右側面部２４ｂ，２４ａの上端部を覆う。底面部２５は、前面部２２、背面部２３、および左右側面部２４ｂ，２４ａの下端部を覆う。
【００１７】
ここで、天面部２１、前面部２２、背面部２３、左右側面部２４ｂ，２４ａ、および底面部２５は、例えば、段ボールのような板紙を多層構造で強固に加工された板状の部材であるが、同等の性能を有する部材であればこれに限定するものではない。
【００１８】
図２と図３に示すように、梱包箱２０は、底面部２５に一体に形成される複数（例えば４つ）の脚部３０ａ，３０ｂ，３０ｃ，３０ｄをさらに備えている。４つの脚部３０ａ，３０ｂ，３０ｃ，３０ｄは、梱包箱２０の前面部２２および背面部２３を含む両主面から突出しない第１の形態（図１参照）と、梱包箱２０の両主面から奥行き方向に突出する第２の形態（図２参照）とに選択的に切り替え可能である。
【００１９】
図２と図３に示すように、第２の形態時において、脚部３０ｃ，３０ｄは底面部２５の左端部からそれぞれ奥行き方向である前後方向に突出し、脚部３０ａ，３０ｂは底面部２５の右端部からそれぞれ奥行き方向である前後方向に突出している。４つの脚部３０ａ，３０ｂ，３０ｃ，３０ｄは、底面視にて長方形形状かつ側面視にて直角三角形形状である。これにより、質量が重く、縦方向および横方向の寸法に比べ奥行き方向の寸法が小さい直方体形状の被梱包物である、薄型の表示装置１またはその支持装置に対しても、奥行き方向への転倒を防止することが可能となる。
【００２０】
（底面部の展開図）
図４は、梱包装置１０の底面部２５の展開図である。図４に示すように、底面部２５は、主面２５１、右側面２５２ａ、左側面２５２ｂ、前側面２５２ｃ、後側面２５２ｄ、および脚部形成面２５３ａ、２５３ｂ、２５３ｃ、２５３ｄを一体に有している。脚部形成面２５３ｃ，２５３ｄは、左側面２５２ｂの前後に一体に形成され、脚部３０ｃ，３０ｄに組み立てられる。脚部形成面２５３ａ、２５３ｂは、右側面２５２ａの前後に一体に形成され、脚部３０ａ，３０ｂに組み立てられる。
【００２１】
前側面２５２ｃには２つのスリット５０ｆ，５０ｂが設けられ、後側面２５２ｄには２つのスリット５０ｈ，５０ｄが設けられている。スリット５０ｆ，５０ｂは、左右の脚部形成面２５３ｃ，２５３ａに隣接する位置にそれぞれ設けられ、スリット５０ｈ，５０ｄは、左右の脚部形成面２５３ｄ，２５３ｂに隣接する位置にそれぞれ設けられている。脚部形成面２５３ａ，２５３ｂ，２５３ｃ，２５３ｄにはそれぞれ１つずつスリット５０ａ，５０ｃ，５０ｅ，５０ｇが設けられている。なお、前後側面２５２ｃ，２５２ｄに設けられたスリット５０ｆ，５０ｂ，５０ｈ，５０ｄが第１スリットに相当し、脚部形成面２５３ａ，２５３ｂ，２５３ｃ，２５３ｄに設けられたスリット５０ａ，５０ｃ，５０ｅ，５０ｇが第２スリットに相当する。
【００２２】
また、脚部形成面２５３ａ，２５３ｂ，２５３ｃ，２５３ｄは、脚部３０ａ，３０ｂ，３０ｃ，３０ｄに組み立てられた際に前側面２５２ｃおよび後側面２５２ｄと接触する接触面２５４ａ，２５４ｂ，２５４ｃ，２５４ｄを有している。
【００２３】
底面部２５を形成する主面２５１、右側面２５２ａ、左側面２５２ｂ、前側面２５２ｃ、後側面２５２ｄ、および脚部形成面２５３ａ，２５３ｂ，２５３ｃ，２５３ｄの各境界と、脚部形成面２５３ａ，２５３ｂ，２５３ｃ，２５３ｄ内には、図４の破線で示される折り曲げ線４０ａ〜４０ｋ，４０ｍ，４０ｎ，４０ｐ〜４０ｖが設けられている。
【００２４】
次に、底面部２５の組み立て方法を説明する。初めに、折り曲げ線４０ｅ、折り曲げ線４０ｆ、および折り曲げ線４０ｇに沿って谷折りにする。これにより脚部３０ａが形成される。同様に、折り曲げ線４０ｉ、折り曲げ線４０ｊ、および折り曲げ線４０ｋに沿って谷折りにすることで、脚部３０ｂが形成される。折り曲げ線４０ｎ、折り曲げ線４０ｐ、および折り曲げ線４０ｑに沿って谷折りにすることで、脚部３０ｃが形成される。折り曲げ線４０ｓ、折り曲げ線４０ｔ、および折り曲げ線４０ｕに沿って谷折りにすることで、脚部３０ｄが形成される。
【００２５】
次に、折り曲げ線４０ａと折り曲げ線４０ｂに沿って谷折りにする。そして、折り曲げ線４０ｃに沿って谷折りにし、その過程でスリット５０ａをスリット５０ｂに嵌め込むとともに、スリット５０ｃをスリット５０ｄに嵌め込む。その後、折り曲げ線４０ｈに沿って谷折りにし、接触面２５４ａを前側面２５２ｃに接触させた状態でテープにより固定する。折り曲げ線４０ｍに沿って谷折りにし、接触面２５４ｂを後側面２５２ｄに接触させた状態で粘着テープにより固定する。
【００２６】
同様に、折り曲げ線４０ｄに沿って谷折りにし、その過程でスリット５０ｅをスリット５０ｆに嵌め込むとともに、スリット５０ｇをスリット５０ｈに嵌め込む。そして、折り曲げ線４０ｒに沿って谷折りにし、接触面２５４ｃを前側面２５２ｃに接触させた状態で粘着テープにより固定する。折り曲げ線４０ｖに沿って谷折りにし、接触面２５４ｄを後側面２５２ｄに接触させた状態でテープにより固定する。以上の工程により、４つの脚部３０ａ，３０ｂ，３０ｃ，３０ｄが第２の形態となるように底面部２５を組み立てることができる。
【００２７】
次に、４つの脚部３０ａ，３０ｂ，３０ｃ，３０ｄが図１に示す第１の形態となるように底面部２５を組み立てる場合について説明する。上記の底面部２５の組み立て方法の説明において、脚部３０ａ，３０ｂを形成せずに、脚部形成面２５３ａ，２５３ｂが前側面２５２ｃの前側および後側面２５２ｄの後側にそれぞれ位置するように、折り曲げ線４０ｅ、折り曲げ線４０ｉ、および折り曲げ線４０ｃに沿って谷折りにする。次に、脚部３０ｃ，３０ｄを形成せずに、脚部形成面２５３ｃ，２５３ｄが前側面２５２ｃの前側および後側面２５２ｄの後側にそれぞれ位置するように、折り曲げ線４０ｎ、折り曲げ線４０ｓ、および折り曲げ線４０ｄに沿って谷折りにする。これにより、４つの脚部３０ａ，３０ｂ，３０ｃ，３０ｄが第１の形態となるように底面部２５を組み立てることができる。
【００２８】
最後に、梱包装置１０の組み立て方法について説明する。初めに底面部２５の上に薄型の表示装置１が置かれる。次に、側面部２４ａ，２４ｂを底面部２５の内面側かつ薄型の表示装置１の側面に沿うように配置する。そして、前面部２２と背面部２３を側面部２４ａ，２４ｂの内側かつ薄型の表示装置１のそれぞれ前面と背面に沿うように配置する。その後、天面部２１を薄型の表示装置１の上端部へ配置する。このとき、前面部２２、背面部２３、および側面部２４ａ，２４ｂが天面部２１の内側に位置するように天面部２１を配置する。最後に、図２に示すようにバンド６０を使用し、薄型の表示装置１を収納している梱包箱２０が分離しないように締結する。
【００２９】
なお、複数の梱包装置１０を輸送および保管する場合は、底面部２５の脚部３０ａ，３０ｂ，３０ｃ，３０ｄを組み立てずに、図１に示すように薄型の表示装置１の主面に沿うように配置したままとする。
【００３０】
以上のように、実施の形態１に係る梱包装置１０では、梱包箱２０は、底面部２５に一体に形成される４つの脚部３０ａ，３０ｂ，３０ｃ，３０ｄをさらに備え、４つの脚部３０ａ，３０ｂ，３０ｃ，３０ｄは、梱包箱２０の両主面から突出しない第１の形態と、梱包箱２０の両主面から奥行き方向に突出する第２の形態とに選択的に切り替え可能であり、４つの脚部３０ａ，３０ｂ，３０ｃ，３０ｄは、第２の形態時に底面視にて長方形形状である。
【００３１】
したがって、縦方向および横方向の寸法に比べて奥行き方向の寸法が小さい直方体形状を有する梱包箱２０に対して、奥行き方向への転倒を防止することができる。これにより、質量が重い薄型の表示装置１または支持装置を安定して保持することができる。
【００３２】
また、４つの脚部３０ａ，３０ｂ，３０ｃ，３０ｄは底面部２５に一体に形成されるため、部品点数の増加を抑制することができる。
【００３３】
底面部２５は、主面２５１と、前後側面２５２ｃ，２５２ｄと、左右側面２５２ｂ，２５２ａと、左右側面２５２ｂ，２５２ａの前後に一体に形成された４つの脚部形成面２５３ａ，２５３ｂ，２５３ｃ，２５３ｄとを備え、前後側面２５２ｃ，２５２ｄは、スリット５０ｂ，５０ｄ，５０ｆ，５０ｈを有し、４つの脚部形成面２５３ａ，２５３ｂ，２５３ｃ，２５３ｄは、スリット５０ｂ，５０ｄ，５０ｆ，５０ｈに嵌め込み可能なスリット５０ａ，５０ｃ，５０ｅ，５０ｇを有し、第１の形態時に、４つの脚部形成面２５３ａ，２５３ｂ，２５３ｃ，２５３ｄが前後側面２５２ｃ，２５２ｄに固定され、第２の形態時に、前後側面２５２ｃ，２５２ｄに対して４つの脚部形成面２５３ａ，２５３ｂ，２５３ｃ，２５３ｄが奥行き方向に突出するように折り曲げられた状態で、スリット５０ａ，５０ｃ，５０ｅ，５０ｇがスリット５０ｂ，５０ｄ，５０ｆ，５０ｈに嵌め込まれる。
【００３４】
したがって、４つの脚部３０ａ，３０ｂ，３０ｃ，３０ｄの第１の形態から第２の形態への切り替えを簡単な構成で実現することができる。
【００３５】
４つの脚部３０ａ，３０ｂ，３０ｃ，３０ｄは、第２の形態時に側面視にて直角三角形形状であるため、十分な強度を得ることができる。そのため、金属等により構成された転倒防止用の別部材は不必要であり、さらに、その別部材による梱包質量の増加を抑えることが可能である。また、脚部３０ａ，３０ｂ，３０ｃ，３０ｄは底面部２５と一体であり、さらに材質が例えば同じ段ボールであるため、開梱後の転倒を防止する機能を持つ部材の廃棄も容易となる。
【００３６】
また、複数の梱包装置１０を輸送および保管する場合は、底面部２５の脚部３０ａ，３０ｂ，３０ｃ，３０ｄを組み立てずに、図１に示すように薄型の表示装置１の主面に沿うように配置したままとすることで、梱包装置１０の保管および輸送時の積載効率を高くすることができる。以上より、包装の小型化と輸送方法の効率化を図ることができる。
【００３７】
＜実施の形態２＞
次に、実施の形態２に係る梱包装置１１について説明する。図５は、梱包装置１１の第１の形態の斜視図である。図６は、梱包装置１１の第２の形態の斜視図である。図７は、梱包装置１１の第１の形態の分解斜視図である。なお、実施の形態２において、実施の形態１で説明したものと同一の構成要素については同一符号を付して説明は省略する。
【００３８】
図５から図７に示すように、梱包装置１１は、梱包箱２０Ａおよびバンド６０を備えている。梱包箱２０Ａは、縦方向および横方向の寸法に比べて前後の奥行き方向の寸法が小さい直方体形状を有する。梱包箱２０Ａには、縦方向および横方向の寸法に比べて奥行き方向の寸法が小さい直方体形状を有する薄型の表示装置１（または、表示装置１の支持装置）が収納され、バンド６０にて締結されている。
【００３９】
複数の梱包装置１１は、図５に示すように、４つの脚部３１ａ，３１ｂ，３１ｃ，３１ｄを薄型の表示装置１（図３参照）の側面に沿うように配置した状態で保管および輸送される。一方、梱包装置１１が１台で保管される場合および梱包装置１１の梱包開梱時には、４つの脚部３１ａ，３１ｂ，３１ｃ，３１ｄを第２の形態に切り替えて、４つの脚部３１ａ，３１ｂ，３１ｃ，３１ｄを断面が四角形の角筒状の構造とする。すなわち、４つの脚部３１ａ，３１ｂ，３１ｃ，３１ｄは第２の形態時には底面視にて長方形形状かつ側面視にて直角三角形形状である。これにより、梱包装置１１の転倒を防止することができる。
【００４０】
（底面部の展開図）
図８は、梱包装置１１の底面部２６の展開図である。図７と図８に示すように、脚部３１ａ，３１ｂ，３１ｃ，３１ｄは底面部２６に一体に形成されている。より具体的には、脚部３１ａ，３１ｂ，３１ｃ，３１ｄは、底面部２６の左右側面２６２ｂ、２６２ａの前後からそれぞれ左右方向に延びる板形状の脚部形成面２６３ｃ，２６３ｄ，２６３ａ，２６３ｂにより形成される。そして、図５、図７および図８に示すように、脚部３１ａ，３１ｂ，３１ｃ，３１ｄは左右側面部２４ｂ，２４ａに沿って縦方向に延びており、留め具８０により側面部２４ｂ，２４ａに固定されている。
【００４１】
前側面２６２ｃには２つのスリット５１ｆ，５１ｂが設けられ、後側面２６２ｄには２つのスリット５１ｈ，５１ｄが設けられている。スリット５１ｆ，５１ｂは、左右の脚部形成面２６３ｃ，２６３ａの周辺にそれぞれ設けられ、スリット５１ｈ，５１ｄは、左右の脚部形成面２６３ｄ，２６３ｂの周辺にそれぞれ設けられている。脚部形成面２６３ａ，２６３ｂ，２６３ｃ，２６３ｄにはそれぞれ１つずつスリット５１ａ，５１ｃ，５１ｅ，５１ｇが設けられている。なお、前後側面２６２ｃ，２６２ｄに設けられたスリット５１ｆ，５１ｂ，５１ｈ，５１ｄが第１スリットに相当し、脚部形成面２６３ａ，２６３ｂ，２６３ｃ，２６３ｄに設けられたスリット５１ａ，５１ｃ，５１ｅ，５１ｇが第２スリットに相当する。
【００４２】
底面部２６を形成する主面２６１、右側面２６２ａ、左側面２６２ｂ、前側面２６２ｃ、後側面２６２ｄ、および脚部形成面２６３ａ，２６３ｂ，２６３ｃ，２６３ｄの各境界と、脚部形成面２６３ａ，２６３ｂ，２６３ｃ，２６３ｄ内には、図８の破線で示される折り曲げ線４１ａ〜４１ｋ，４１ｍが設けられている。
【００４３】
留め穴８１ｄ，８１ａが前測面２６２ｃに設けられ、留め穴８１ｊ，８１ｇが後側面２６２ｄに設けられている。留め穴８１ｅ，８０ｄ，８２ｊ，８１ｋが左側面２６２ｂに設けられ、留め穴８１ｂ，８２ａ，８２ｇ，８１ｈが右側面２６２ａに設けられている。留め穴８２ｅ，８２ｆ，８１ｆが脚部形成面２６３ｃに設けられ、留め穴８２ｋ，８２ｍ，８１ｍが脚部形成面２６３ｄに設けられている。また、留め穴８２ｂ，８２ｃ，８１ｃが脚部形成面２６３ａに設けられ、留め穴８２ｈ，８２ｉ，８１ｉが脚部形成面２６３ｂに設けられている。これらの留め穴は留め具８０が貫通可能な穴である。
【００４４】
なお、留め穴８１ｆ，８１ｍは、脚部３１ｃ，３１ｄとなる脚部形成面２６３ｃ，２６３ｄが上方に折り曲げられた状態で左側面部２４ｂに設けられた２つの留め穴８３ｂに対応する位置に設けられている。留め穴８１ｃ，８１ｉは、脚部３１ａ，３１ｂとなる脚部形成面２６３ａ，２６３ｂが上方に折り曲げられた状態で右側面部２４ａに設けられた２つの留め穴８３ａに対応する位置に設けられている。
【００４５】
次に、図８を用いて底面部２６の組み立て方法を説明する。初めに、主面２６１と側面２６２ａ，２６２ｂ，２６２ｃ，２６２ｄの境界である折り曲げ線に沿って谷折りし、また、折り曲げ線４１ｅ，４１ｆ，４１ｇ，４１ｈに沿って谷折りする。そして、留め穴８１ａ，８１ｂを貫通し、前側面２６２ｃと接触面２６４ｅを固定するように留め具８０を装着する。これにより、前方右側のコーナ部分が形成される。残りのコーナ部分に関しても同様の手順で組み立てることができる。以上の工程により、図５に示す姿勢の底面部２６を組み立てることができる。換言すると、４つの脚部３１ａ，３１ｂ，３１ｃ，３１ｄが梱包箱２０Ａの前面部２２および背面部２３を含む両主面から突出しない第１の形態となるように底面部２６を組み立てることができる。
【００４６】
次に、図７を用いて梱包装置１１の組み立て方法を説明する。初めに底面部２６の上に薄型の表示装置１が置かれる。次に、側面部２４ａ，２４ｂを底面部２６の内面側かつ薄型の表示装置１の側面に沿うように配置する。そして、前面部２２と背面部２３を側面部２４ａ，２４ｂの内側かつ薄型の表示装置１のそれぞれ前面と背面に沿うように配置する。その後、天面部２１を薄型の表示装置１の上端部に配置する。このとき、前面部２２、背面部２３、および側面部２４ａ，２４ｂが天面部２１の内側に位置するように天面部２１を配置する。そして、留め具８０を使用して、底面部２６と一体となっている板形状の脚部形成面２６３ｃ，２６３ｄ，２６３ａ，２６３ｂと側面部２４ｂ，２４ａを固定する。最後に、図５に示すように、バンド６０を使用し、薄型の表示装置１を収納している梱包箱２０Ａが分離しないように固定する。
【００４７】
次に、４つの脚部３１ａ，３１ｂ，３１ｃ，３１ｄの第２の形態への切り替え方法について説明する。初めに、板形状の脚部形成面２６３ｃ，２６３ｄ，２６３ａ，２６３ｂと側面部２４ｂ，２４ａを固定している留め具８０を外す。次に、板形状の脚部形成面２６３ｃ，２６３ｄ，２６３ａ，２６３ｂを立体に形成するが、ここでは、底面部２６において前方右側の脚部３１ａを代表に説明する。脚部形成面２６３ａを折り曲げ線４１ａに沿って山折りする。この際、完全に折り曲げてしまうと脚部形成面２６３ａが地面と接してしまうため、脚部形成面２６３ａが地面に対して平行かつ側面部２４ａに対して直角となる状態まで折り曲げる。
【００４８】
次に、脚部形成面２６３ａを折り曲げ線４１ｉに沿って谷折りし、途中まで折り曲げられている折り曲げ線４１ａの箇所が、底面部２６の前側面２６２ｃに接するまで折り曲げる。そして、脚部形成面２６３ａの残りの折り曲げ線を各折り曲げ線に沿って谷折りする。このとき、接触面２６４ａ内のスリット５１ａと前側面２６２ｃ内のスリット５１ｂとをしっかり嵌め込む。そして、前側面２６２ｃ、接触面２６４ｅ、および接触面２６３ａを固定するために、留め穴８１ａ，８１ｂ，８１ｃを貫通するように留め具８０を装着する。
【００４９】
また、脚部形成面２６３ａと右側面２６２ａとを固定するために、留め穴８２ａ，８２ｂ，８２ｃを貫通するように留め具８０を装着する。これにより、脚部３１ａが奥行き方向へ突出した状態で形成される。他の脚部３１ｂ，３１ｃ，３１ｄも同様の工程で形成される。
【００５０】
図６に示すように、梱包装置１１の第２の形態の姿勢により、奥行き方向に突出する脚部３１ａ，３１ｂ，３１ｃ，３１ｄが梱包装置１１の奥行き方向への転倒を防ぐことができる。また、脚部３１ａ，３１ｂ，３１ｃ，３１ｄは底面部２６と一体に形成されているため、脚部３１ａ，３１ｂ，３１ｃ，３１ｄを第１の形態と第２の形態に選択的に切り替える際、脚部３１ａ，３１ｂ，３１ｃ，３１ｄを切り取ったり、転倒防止用部材を別途準備する必要がない。
【００５１】
なお、脚部３１ａ，３１ｂ，３１ｃ，３１ｄの形状に関して、実施の形態２では断面が四角形の角筒状としているが、断面が三角形の角筒状としてもよい。
【００５２】
以上のように、実施の形態２に係る梱包装置１１では、４つの脚部３１ａ，３１ｂ，３１ｃ，３１ｄは、第２の形態時に側面視にて長方形形状であるため、十分な強度を得ることができる。そのため、金属等により構成された転倒防止用の別部材は不必要であり、さらに、その別部材による梱包質量の増加を抑えることが可能である。その他、実施の形態１の場合と同様の効果が得られる。
【００５３】
＜実施の形態３＞
次に、実施の形態３に係る梱包装置１２について説明する。図９は、梱包装置１２の第１の形態の斜視図である。図１０は、梱包装置１２の第２の形態の斜視図である。図１１は、梱包装置１２の第１の形態の分解斜視図である。図１２は、梱包装置１２の底面部２７の展開図である。なお、実施の形態３において、実施の形態１，２で説明したものと同一の構成要素については同一符号を付して説明は省略する。
【００５４】
実施の形態１，２に係る梱包装置１０，１１では、奥行き方向への転倒を防止するために脚部が梱包箱２０，２０Ａの下端部に設けられており、また、脚部の縦方向の寸法は収納される薄型の表示装置１（またはその支持装置）の縦方向の寸法に比べて小さい。そのため、質量が大きく、縦方向の寸法がさらに大きい薄型の表示装置１（またはその支持装置）を収納する場合、実施の形態１，２に係る梱包装置１０，１１の脚部では支持できない可能性がある。実施の形態３に係る梱包装置１２は、このような課題を解決することが可能な装置である。
【００５５】
図９から図１１に示すように、梱包装置１２は、梱包箱２０Ｂおよびバンド６０を備えている。梱包箱２０Ｂは、縦方向および横方向の寸法に比べて前後の奥行き方向の寸法が小さい直方体形状を有する。梱包箱２０Ｂには、縦方向および横方向の寸法に比べて奥行き方向の寸法が小さい直方体形状を有する薄型の表示装置１（または、表示装置１の支持装置）が収納され、バンド６０にて締結されている。
【００５６】
梱包箱２０Ｂは、前面部２２、背面部２３、左右側面部２４ｂ，２４ａ、天面部２１、および底面部２７を備えている。天面部２１は、前面部２２、背面部２３、および左右側面部２４ｂ，２４ａの上端部を覆う。底面部２７は、前面部２２、背面部２３および左右側面部２４ｂ，２４ａの下端部から縦方向中央部に渡る部分を覆う。
【００５７】
図９と図１０に示すように、梱包箱２０Ｂは、底面部２７に一体に形成される複数（例えば４つ）の脚部３２ａ，３２ｂ，３２ｃ，３２ｄをさらに備えている。４つの脚部３２ａ，３２ｂ，３２ｃ，３２ｄは、梱包箱２０Ｂの前面部２２および背面部２３を含む両主面から突出しない第１の形態（図９参照）と、梱包箱２０Ｂの両主面から奥行き方向に突出する第２の形態（図１０参照）に切り替え可能である。
【００５８】
図１０と図１２に示すように、第２の形態時において、脚部３２ｃ，３２ｄは底面部２７の左端部からそれぞれ奥行き方向である前後方向に突出し、脚部３２ａ，３２ｂは底面部２７の右端部からそれぞれ奥行き方向である前後方向に突出している。４つの脚部３２ａ，３２ｂ，３２ｃ，３２ｄは、底面視にて三角形形状である。これにより、質量が重く、縦方向および横方向の寸法に比べ奥行き方向の寸法が小さい直方体形状の被梱包物である、薄型の表示装置１またはその支持装置に対しても、奥行き方向への転倒を防止することが可能となる。
【００５９】
図９に示すように、複数の梱包装置１２は、第１の形態にした状態で保管および輸送される。なお、図９では、梱包装置１２は１台のみ図示している。一方、梱包装置１２が１台で保管される場合および梱包装置１２の梱包開梱時には、図１０に示すように、４つの脚部３２ａ，３２ｂ，３２ｃ，３２ｄを第２の形態に切り替えて、４つの脚部３２ａ，３２ｂ，３２ｃ，３２ｄを底面視にて三角形形状とすることにより、梱包装置１２の転倒を防止する。
【００６０】
（底面部の展開図）
図１２に示すように、底面部２７は、主面２７１、右側面２７２ａ、左側面２７２ｂ、前側面２７２ｃ、後側面２７２ｄ、および脚部形成面２５３ａ、２５３ｂ、２５３ｃ、２５３ｄを一体に有している。より具体的には、脚部３２ａ，３２ｂ，３２ｃ，３２ｄは、底面部２７の左右側面２７２ｂ，２６２ａの前後からそれぞれ前後方向に延びる脚部形成面２７３ｃ，２７３ｄ，２７３ａ，２７３ｂにより形成される。留め具８０が貫通可能な留め穴８１が、脚部形成面２７３ａ，２７３ｂ，２７３ｃ，２７３ｄに設けられている。
【００６１】
図１１と図１２に示すように、底面部２７の脚部形成面２７３ａ，２７３ｃと前面部２２とを固定するために、底面部２７に一体に形成された脚部形成面２７３ａ，２７３ｃ内に設けられた留め穴８１と前面部２２に設けられた留め穴８１を貫通するように、留め具８０が装着される。また、梱包装置１２の背面側も前面側と同様に留め具８０と留め穴８１によって底面部２７の脚部形成面２７３ｂ，２７３ｄと背面部２３が固定される。
【００６２】
底面部２７を形成する主面２７１、右側面２７２ａ、左側面２７２ｂ、前側面２７２ｃ、後側面２７２ｄ、および脚部形成面２７３ａ，２７３ｂ，２７３ｃ，２７３ｄの各境界と、脚部形成面２７３ａ，２７３ｂ，２７３ｃ，２７３ｄ内には、図１２の破線で示される折り曲げ線４２ａ〜４２ｈ，４３ａ〜４３ｄが設けられている。
【００６３】
次に、脚部３２ａ，３２ｂ，３２ｃ，３２ｄの第２の形態への切り替え方法について説明する。初めに、底面部２７の脚部形成面２７３ａ，２７３ｃに装着されている留め具８０を外す。次に、底面部２７の脚部形成面２７３ａ，２７３ｃ内にある折り曲げ線４２ａ，４２ｂ，４２ｅ，４２ｆに沿って谷折りをし、折り曲げ線４３ａ，４３ｃに沿って山折りをすることで脚部３２ａ，３２ｃを形成する。そして、上記にて外した留め具８０を留め穴８１に装着し、左右の脚部形成面２５３ｃ，２５３ａをこれらの一部が重なった状態で固定する。同様の手順で底面部２７の背面側にも行う。
【００６４】
以上の手順により梱包装置１２の主面から奥行き方向へ脚部３２ａ，３２ｂ，３２ｃ，３２ｄが突出した姿勢である第２の形態となる。
【００６５】
図１０に示すように、第２の形態の姿勢により、奥行き方向に突出する脚部３２ａ，３２ｂ，３２ｃ，３２ｄが梱包装置１２の奥行き方向への転倒を防ぐことができる。また、脚部３２ａ，３２ｂ，３２ｃ，３２ｄは底面部２７と一体に形成されているため、脚部３２ａ，３２ｂ，３２ｃ，３２ｄを第１の形態と第２の形態に選択的に切り替える際、脚部３２ａ，３２ｂ，３２ｃ，３２ｄを切り取ったり、転倒防止用部材を別途準備する必要がない。
【００６６】
次に、梱包装置１２の開梱方法について図１３を用いて説明する。図１３は、梱包装置１２の開梱方法の例を説明するための斜視図である。初めに、底面部２７に装着されている留め具８０を外す。次に、図１３に示すように、底面部２７の脚部形成面２７３ａ，２７３ｃを前方へ開き、底面部２７における脚部形成面２７３ａ，２７３ｃと側面部２４ａ，２４ｂを上記にて外した留め具８０により固定する。これにより、脚部３２ａ，３２ｃが形成される。
【００６７】
これにより、底面部２７の前面側が観音開きのように開くことができるため、薄型の表示装置１を梱包装置１２の前面から取り出すことが可能である。そのため、大型で薄型の表示装置１を底面部２７の高さ位置よりも上方に持ち上げて取り出す必要はない。また、脚部３２ａ，３２ｃによって梱包装置１２の開梱時における奥行き方向への転倒を防ぐことが可能である。
【００６８】
以上のように、実施の形態３に係る梱包装置１２では、梱包箱２０Ｂは、底面部２７に一体に形成される４つの脚部３２ａ，３２ｂ，３２ｃ，３２ｄをさらに備え、４つの脚部３２ａ，３２ｂ，３２ｃ，３２ｄは、梱包箱２０Ｂの両主面から突出しない第１の形態と、梱包箱２０Ｂの両主面から奥行き方向に突出する第２の形態とに選択的に切り替え可能であり、４つの脚部３２ａ，３２ｂ，３２ｃ，３２ｄは、第２の形態時に底面視にて三角形形状である。
【００６９】
したがって、縦方向および横方向の寸法に比べて奥行き方向の寸法が小さい直方体形状を有する梱包箱２０Ｂに対して、奥行き方向への転倒を防止することができる。これにより、質量が重い薄型の表示装置１または支持装置を安定して保持することができる。
【００７０】
また、４つの脚部３２ａ，３２ｂ，３２ｃ，３２ｄは底面部２７に一体に形成されるため、部品点数の増加を抑制することができる。
【００７１】
底面部２７は、主面２７１と、前後側面と、左右側面２７２ｂ，２７２ａと、左右側面２７２ｂ，２７２ａの前後に一体に形成された４つの脚部形成面２７３ｃ，２７３ｄ，２７３ａ，２７３ｂとを備えている。第１の形態時に、左右の脚部形成面２７３ｃ，２７３ａの一部が重なった状態で脚部形成面２７３ｃ，２７３ａが前側面２７２ｃに固定され、左右の脚部形成面２７３ｄ，２７３ｂの一部が重なった状態で脚部形成面２７３ｄ，２７３ｂが後側面２７２ｄに固定される。第２の形態時に、前後側面２７２ｃ，２７２ｄに対して４つの脚部形成面２７３ｃ，２７３ａ，２７３ｄ，２７３ｂが奥行き方向に突出するように折り曲げられ、左右の脚部形成面２７３ｃ，２７３ａが重ならない状態で脚部形成面２７３ｃ，２７３ａが前側面２７２ｃに固定され、左右の脚部形成面２７３ｄ，２７３ｂが重ならない状態で脚部形成面２７３ｄ，２７３ｂが後側面２７２ｄに固定される。
【００７２】
したがって、４つの脚部３２ａ，３２ｂ，３２ｃ，３２ｄの第１の形態から第２の形態への切り替えを簡単な構成で実現できる。その他、実施の形態１の場合と同様の効果が得られる。
【００７３】
さらに、実施の形態１，２の場合に比べて脚部３２ａ，３２ｂ，３２ｃ，３２ｄの縦方向の寸法が大きいため、質量が大きく、縦方向の寸法がさらに大きい薄型の表示装置１を収納する場合でも転倒を防止することができる。
【００７４】
なお、本発明は、その発明の範囲内において、各実施の形態を自由に組み合わせたり、各実施の形態を適宜、変形、省略することが可能である。
【符号の説明】
【００７５】
１０，１１，１２  梱包装置、２０，２０Ａ，２０Ｂ  梱包箱、２１  天面部、２２  前面部、２３  背面部、２４ａ，２４ｂ  側面部、２５，２６，２７  底面部、３０ａ，３０ｂ，３０ｃ，３０ｄ，３１ａ，３１ｂ，３１ｃ，３１ｄ，３２ａ，３２ｂ，３２ｃ，３２ｄ  脚部、５０ｂ，５０ｄ，５０ｆ，５０ｈ，５１ｂ，５１ｄ，５１ｆ，５１ｈ  第１スリット、５０ａ，５０ｃ，５０ｅ，５０ｇ，５１ａ，５１ｃ，５１ｅ，５１ｇ  第２スリット、２５１，２６１，２７１  主面、２５２ａ，２５２ｂ，２５２ｃ，２５２ｄ，２６２ａ，２６２ｂ，２６２ｃ，２６２ｄ，２７２ａ，２７２ｂ，２７２ｃ，２７２ｄ  側面、２５３ａ，２５３ｂ，２５３ｃ，２５３ｄ，２６３ａ，２６３ｂ，２６３ｃ，２６３ｄ，２７３ａ，２７３ｂ，２７３ｃ，２７３ｄ  脚部形成面。
【図１】
2019131238.tif 000003
【図２】
2019131238.tif 000004
【図３】
2019131238.tif 000005
【図４】
2019131238.tif 000006
【図５】
2019131238.tif 000007
【図６】
2019131238.tif 000008
【図７】
2019131238.tif 000009
【図８】
2019131238.tif 000010
【図９】
2019131238.tif 000011
【図１０】
2019131238.tif 000012
【図１１】
2019131238.tif 000013
【図１２】
2019131238.tif 000014
【図１３】
2019131238.tif 000015